(57)【要約】【課題】  各携帯電話などの通信装置において測定された紫外線量などセンサ値の分布を把握することができる情報処理装置およびセンサ値情報処理方法を提供することを目的とする。【解決手段】  情報処理装置２００において、通信部２０１が、通信装置１００から送信されたセンサ値および位置情報を受信し、センサ値ＤＢ２０２が、これらセンサ値および位置情報をそれぞれ記憶する。そして、一の通信装置１００からの要求にしたがって、合成部２０４は、センサ値ＤＢ２０２に記憶されたセンサ値および位置情報のそれぞれを、予め記憶された地図に合成して、通信部２０１は、合成した地図情報を一の通信装置１００に送信する。これにより、各地域においてセンサを設けることなく、センサ値を取得することができ、地図上におけるそのセンサ値の分布を把握することができる。【選択図】  図２
2012244394.tif 000002
【特許請求の範囲】
【請求項１】
複数の通信装置においてそれぞれ計測されたセンサ値および当該通信装置の位置情報を取得する取得手段と、
前記取得手段により取得されたセンサ値および位置情報をそれぞれ記憶する記憶手段と、
前記記憶手段に記憶されたセンサ値および位置情報のそれぞれを、予め記憶された地図に合成して出力する出力手段と、
を備える情報処理装置。
【請求項２】
前記取得手段は、さらにセンサ値のセンサ種別を取得し、
前記記憶手段は、前記センサ種別をさらに対応付けて記憶する
ことを特徴とする請求項１に記載の情報処理装置。
【請求項３】
前記記憶手段は、前記位置情報及び前記センサ種別情報に対応する登録情報を予め記憶し、
前記取得手段により取得されたセンサ値と前記登録情報の差分が所定値以内であるかどうかに基づいて、前記通信装置は屋外にいるか否かを判断する判断手段をさらに備え、
前記記憶手段は、前記判断結果に基づいて、少なくとも屋外にいる通信装置のセンサ値を他のセンサ値と区別して記憶し、
前記出力手段は、前記記憶手段に記憶された、屋外にいる通信装置のセンサ値およびその位置情報を地図に合成することを特徴とする請求項１または２に記載の情報処理装置。
【請求項４】
前記記憶手段は、屋内もしくは屋外のいずれにいるかを示す屋内・屋外情報を、さらに対応付けて記憶することを特徴とする請求項１から３のいずれか一項に記載の情報処理装置。
【請求項５】
予め定めた基準値と関連情報とを対応付けて記憶する関連情報記憶手段と、
一の通信装置から関連情報の要求を受けると、前記関連情報記憶手段から、前記一の通信装置の位置情報に基づいて、当該位置情報に対応付けられたセンサ値を抽出し、抽出したセンサ値に相当する基準値に対応付けられている関連情報を抽出する抽出手段と、
前記抽出手段により抽出された関連情報を、当該一の通信装置宛に通知する通知手段と
を備える請求項１から４のいずれか一項に記載の情報処理装置。
【請求項６】
複数の通信装置においてそれぞれ計測されたセンサ値および当該通信装置の位置情報を取得する取得ステップと、
前記取得ステップにより取得されたセンサ値および位置情報をそれぞれ記憶手段に記憶する記憶ステップと、
前記記憶手段に記憶されたセンサ値および位置情報のそれぞれを、予め記憶された地図に合成して出力する出力ステップと、
を備えるセンサ値情報処理方法。
【発明の詳細な説明】
【技術分野】
【０００１】
本発明は、移動機などの通信装置において測定されたセンサ値を処理する情報処理装置およびセンサ値情報処理方法に関する。
【背景技術】
【０００２】
従来から、女性は、美容に対する関心は大きく、乾燥や紫外線など肌に悪影響を及ぼす環境に敏感である。乾燥対策としては据え置き型の加湿器だけでなく、携帯可能な小型なものも開発されており、場所に関わらず対処をしたいと考えられている。そして、下記特許文献１においては、微細な区画に配置された紫外線センサを利用して、細かな区画における紫外線や乾燥の情報を得ることができる技術が開示されている。
【先行技術文献】
【特許文献】
【０００３】
【特許文献１】特開２００２−３５８５９０号公報
【発明の概要】
【発明が解決しようとする課題】
【０００４】
しかしながら、上述特許文献１においては、紫外線量に基づいて決定された、適正な日焼け止めクリームなどをユーザに通知するものにとどまるものであり、ユーザは、自分が存在するエリア周辺や指定したエリアにおける紫外線量や、湿度・温度の分布を把握することができない。
【０００５】
そこで、本発明においては、ユーザが、各携帯電話などの通信装置において測定された紫外線量などセンサ値の分布を把握することができる情報処理装置およびセンサ値情報処理方法を提供することを目的とする。
【課題を解決するための手段】
【０００６】
上述の課題を解決するために、本発明の情報処理装置は、複数の通信装置においてそれぞれ計測されたセンサ値および当該通信装置の位置情報を取得する取得手段と、前記取得手段により取得されたセンサ値および位置情報をそれぞれ記憶する記憶手段と、前記記憶手段に記憶されたセンサ値および位置情報のそれぞれを、予め記憶された地図に合成して出力する出力手段と、を備えている。
【０００７】
また、本発明のセンサ値情報処理方法は、複数の通信装置においてそれぞれ計測されたセンサ値および当該通信装置の位置情報を取得する取得ステップと、前記取得ステップにより取得されたセンサ値および位置情報をそれぞれ記憶手段に記憶する記憶ステップと、前記記憶手段に記憶されたセンサ値および位置情報のそれぞれを、予め記憶された地図に合成して出力する出力ステップと、を備えている。
【０００８】
この発明によれば、複数の通信装置においてそれぞれ計測されたセンサ値および当該通信装置の位置情報を取得し、取得されたセンサ値および位置情報をそれぞれ記憶する。そして、記憶されたセンサ値および位置情報のそれぞれを、予め記憶された地図に合成して出力する。これにより、各地域においてセンサを設けることなく、センサ値を取得することができ、地図上におけるそのセンサ値の分布を把握することができる。
【０００９】
また、本発明の情報処理装置における前記取得手段は、さらにセンサ値のセンサ種別を取得し、前記記憶手段は、前記センサ種別をさらに対応付けて記憶するようにしてもよい。
【００１０】
この発明によれば、さらにセンサ値のセンサ種別を取得し、センサ種別をさらに対応付けて記憶することで、複数のセンサ値に対する、地図上の分布を把握することができる。例えば、センサ種別として、温度、湿度、および紫外線があった場合、どのセンサ値がどのセンサ種別であるかを対応付けておくことで、さまざまなセンサ値の地図上の分布を把握することができる。
【００１１】
また、本発明の情報処理装置は、前記取得手段により取得されたセンサ値に基づいて、前記通信装置は屋外にいるか否かを判断する判断手段をさらに備え、前記記憶手段は、前記判断結果に基づいて、少なくとも屋外にいる通信装置のセンサ値を他のセンサ値と区別して記憶し、前記出力手段は、前記記憶手段に記憶された、屋外にいる通信装置のセンサ値およびその位置情報を地図に合成するようにしてもよい。
【００１２】
この発明によれば、取得されたセンサ値に基づいて、通信装置は屋外にいるか否かを判断し、屋外にいると判断された通信装置のセンサ値およびその位置情報を地図に合成する。これにより、屋内にいる通信装置からのセンサ値については、環境把握のための合成処理を行うことがなくなるため、より正確な環境を把握することができる。
【００１３】
また、本発明の情報処理装置において、前記記憶手段は、屋内もしくは屋外のいずれにいるかを示す屋内・屋外情報を、さらに対応付けて記憶するようにしてもよい。
【００１４】
この発明によれば、屋内もしくは屋外のいずれにいるかを示す屋内・屋外情報を、さらに対応付けて記憶することで、屋内・屋外に対する環境の把握を容易にさせることができる。例えば、屋外の環境を知りたい場合には、屋外のみのセンサ値を利用し、屋内の環境を知りたい場合には、屋内のみのセンサ値を利用することで、それぞれの状況に応じた環境を把握することができる。
【００１５】
また、本発明の情報処理装置は、予め定めた基準値と関連情報とを対応付けて記憶する関連情報記憶手段と、一の通信装置から関連情報の要求を受けると、前記関連情報記憶手段から、前記一の通信装置の位置情報に基づいて、当該位置情報に対応付けられたセンサ値を抽出し、抽出したセンサ値に相当する基準値に対応付けられている関連情報を抽出する抽出手段と、前記抽出手段により抽出された関連情報を、当該一の通信装置宛に通知する通知手段とを、さらに備えるように構成してもよい。
【００１６】
この発明によれば、予め定めた基準値と関連情報とを対応付けて記憶しておき、一の通信装置から関連情報の要求を受けると、当該一の通信装置の位置情報に基づいたセンサ値を抽出し、抽出したセンサ値に相当する基準値に対応する関連情報を抽出し、抽出された関連情報を、当該一の通信装置宛に通知する。これにより、環境に応じた適切な関連情報を通知することができる。例えば、関連情報としては、温度が高い場合には、水分補給を促すなどの情報を与えることができる。本発明においては、複数の点在する通信装置においてそれぞれ計測されたセンサ値を用いることで、より正確に、より細かく、さらにより簡易にセンサ値を取得することができ、そのセンサ値に基づいた関連情報をユーザは取得することができる。
【発明の効果】
【００１７】
本発明によれば、各地域においてセンサを設けることなく、センサ値を取得することができ、地図上におけるそのセンサ値の分布を把握することができる。
【図面の簡単な説明】
【００１８】
【図１】本実施形態における情報処理装置２００を含んだ通信システムのシステム構成図である。
【図２】本実施形態の情報処理装置２００の構成を示すブロック図である。
【図３】情報処理装置２００のハードウェア構成図である。
【図４】センサ値ＤＢ２０２に記憶されるセンサ値テーブルを示す説明図である。
【図５】センサ値が合成された地図情報を示す説明図である。
【図６】情報処理装置２００の処理を示すシーケン図である。
【図７】本実施形態の情報処理装置２００ａの機能を示すブロック図である。
【図８】センサ値ＤＢ２０２ａのセンサ値テーブルの具体例を示す説明図である。
【図９】気象情報ＤＢ２０６に記憶される気象情報テーブルを示す説明図である。
【図１０】本実施形態の情報処理装置２００ａの処理を示すシーケンス図である。
【図１１】本実施形態の情報処理装置２００ｂの機能を示すブロック図である。
【図１２】関連情報ＤＢ２０７に記憶されている関連情報テーブルの具体例を示す説明図である。
【図１３】情報処理装置２００ｂの処理を示すシーケンス図である。
【発明を実施するための形態】
【００１９】
添付図面を参照しながら本発明の実施形態を説明する。可能な場合には、同一の部分には同一の符号を付して、重複する説明を省略する。
【００２０】
＜第一の実施形態＞
図１は、本実施形態における情報処理装置２００を含んだ通信システムのシステム構成図である。図１において、情報処理装置２００は、通信装置１００と通信網を介して通信可能に接続されている。この通信装置１００は、例えば、携帯電話などの移動端末であって、センサ１０１、位置測位部１０２、制御部１０３、および通信部１０４を含んで構成されている。
【００２１】
ここでセンサ１０１は、温度センサ１０１ａ、湿度センサ１０１ｂ、または紫外線センサ１０１ｃの少なくとも一つを備えている。温度センサ１０１ａは、通信装置１００の周辺の温度を測定するセンサであり、湿度センサは、湿度を測定するセンサであり、紫外線センサは紫外線量を測定するセンサである。これらセンサ１０１は、ユーザの操作により、または内蔵するタイマーにしたがって周期的に計測する。
【００２２】
位置測位部１０２は、通信装置１００の位置を測位する部分であり、例えば、基地局情報に基づいた概略位置情報や、ＧＰＳ（Global Positioning System）により取得された詳細なＧＰＳ位置情報、または概略位置情報若しくは詳細なＧＰＳ位置情報にしたがって定められたエリア情報を測位する部分である。
【００２３】
制御部１０３は、ユーザの操作が行われると、または内蔵するタイマーにより所定周期が経過すると、センサ１０１に対して測定の指示を行い、または位置測位部１０２に対して測位の指示を行い、その測定結果および測位結果を取得する部分である。なお、測定結果および測位結果においては、そのセンサ種別を含んで取得するように構成することができる。例えば、温度センサ１０１ａからセンサ値として温度情報である数値とともに、温度センサ１０１ａからの情報である旨を示すセンサ種別情報を取得する。そして、制御部１０３において取得された、測定結果および測位結果は、通信部１０４に送られる。
【００２４】
通信部１０４は、制御部１０３から受け取ったセンサ値および位置情報を情報処理装置２００に送信する部分である。
【００２５】
このようにして、通信装置１００は、ユーザによる操作により、または内蔵するタイマーにしたがって周期的に情報処理装置２００に対して、センサ１０１において測定されたセンサ値や、位置測位部１０２により測位された位置情報を送信することができる。
【００２６】
図２は、本実施形態の情報処理装置２００の構成を示すブロック図である。図２に示されるように、情報処理装置２００は、通信部２０１（取得手段）、合成部２０４（出力手段）、センサ値ＤＢ（データベース）２０２（記憶手段）、および地図ＤＢ（データベース）２０３を含んで構成されている。
【００２７】
この情報処理装置２００は、図３に示されるハードウェアにより構成されている。図３は、情報処理装置２００のハードウェア構成図である。図２に示される情報処理装置２００は、物理的には、図３に示すように、ＣＰＵ１１、主記憶装置であるＲＡＭ１２及びＲＯＭ１３、入力デバイスであるキーボード及びマウス等の入力装置１４、ディスプレイ等の出力装置１５、ネットワークカード等のデータ送受信デバイスである通信モジュール１６、ハードディスクや半導体メモリ等の補助記憶装置１７などを含むコンピュータシステムとして構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで入力装置１４、出力装置１５、通信モジュール１６を動作させるとともに、ＲＡＭ１２や補助記憶装置１７におけるデータの読み出し及び書き込みを行うことで実現される。以下、図２に示す機能ブロックに基づいて、各機能ブロックを説明する。
【００２８】
通信部２０１は、通信網を介して通信装置１００と通信する部分であり、通信装置１００において測定された各種センサ値、センサ種別情報および位置情報を受信し、また通信装置１００に対してセンサ値に基づいて解析された結果を送信する部分である。
【００２９】
センサ値ＤＢ２０２は、通信部２０１により受信されたセンサ値、センサ種別情報および位置情報、ならびに入力時刻を記憶する部分である。図４にその具体例を示す。図４は、センサ値ＤＢ２０２に記憶されるセンサ値テーブルを示す説明図である。図４に示されるとおり、位置情報、入力時刻、およびセンサ値が対応付けて記憶されている。図４においては、位置情報は、エリア情報が測位された場合の例を示しており、ＩＤと、サブＩＤとから構成されている。なお、ＩＤは広域のエリアを示し、サブＩＤはその広域のエリアにおいて区画された狭域エリアを示す。なお、位置情報はＩＤのみから構成されてもよい。入力時刻は、通信部２０１において受信した時刻である。なお、入力時刻としてセンサ値を測定した測定時刻を用いてもよい。その場合、通信装置１００において、センサ値等とともに測定時刻も情報処理装置２００に送信される。センサ値は、温度、湿度、および紫外線の各項目から構成されており、通信部２０１において受信したセンサ種別に基づいて、どの項目（どのセンサ種別の項目）に記憶されるか決定される。
【００３０】
また、異なる複数の通信装置から同一の入力時刻、同一の位置情報に対応するセンサ値、センサ種別が送信される場合が想定されるが、その場合、センサ種別ごとのセンサ値の平均値を当該入力時刻及び当該位置情報に対応するセンサ値としてもよい。
【００３１】
地図ＤＢ２０３は、日本全国（または地域の一部でもよいし、世界地図でもよい）の地図情報を記憶する部分である。
【００３２】
合成部２０４は、センサ値ＤＢ２０２に記憶されているセンサ値と、地図ＤＢ２０３に記憶されている地図情報とを合成する部分である。すなわち、センサ値ＤＢ２０２には、位置情報も記憶されており、この位置情報にしたがって、センサ値の分布を地図情報に合成する。
【００３３】
図５は、その合成結果を示す説明図である。図５においては、エリア情報に基づいて、センサ値の分布が分かるように、太枠で区画されて色分けがなされていることを示している。このエリア情報は、例えば携帯電話のキャリア事業者により定められたものであり、基地局の位置若しくは、ＧＰＳによる位置情報に基づいて、どのエリアにいるか判断可能に定義された情報である。図５においては、エリア情報Ｍ１〜Ｍ５までを例示として表現しているが、当然にこれ以上のエリア情報があり、また首都圏等の地域をカバーしたものである。
【００３４】
なお、地図情報の合成の仕方として、上述のエリア情報を利用してもよいし、ＧＰＳにより得られた位置情報若しくは概略位置情報で定められる地図上の位置にプロットして、点で表現することにより、センサ値の分布を表現するようにしてもよい。
【００３５】
このようにして、情報処理装置２００は、通信装置１００から取得したセンサ値を地図に合成することで、その分布を表現することができる。特に、通信装置１００は、一般的には携帯電話を想定しており、これを利用することにより、特別なセンサを用いることなく、より詳細なセンサ値の分布を提供することができる。
【００３６】
つぎに、この情報処理装置２００を用いて通信システムの処理について説明する。図６は、情報処理装置２００の処理を示すシーケン図である。
【００３７】
通信装置１００ａにおいて、センサ１０１によりセンサ値の測定がされる（Ｓ１０１）。そして、測定されたセンサ値、センサ種別情報、位置情報が、通信部１０４により、情報処理装置２００に送信される（Ｓ１０２）。情報処理装置２００において、通信部２０１により、センサ値、センサ種別情報、位置情報が受信され、センサ値ＤＢ２０２に記憶される（Ｓ１０３）。このとき、受信した時刻とともに記憶される。
【００３８】
このような処理が、複数の通信装置１００において行われ、情報処理装置２００においては、複数の通信装置１００からセンサ値を受信し、センサ値ＤＢ２０２に記憶することで、データベースを形成することができる。
【００３９】
つぎに、一の通信装置１００ｂからセンサ値ＤＢ２０２に記憶されているセンサ値を合成した地図の取得要求の操作が行われ、通信装置１００ｂの現在位置を示す位置情報が送信される（Ｓ２０１）。本実施形態では、位置情報としてエリア情報を利用していることから、エリア情報のＩＤおよびそのサブＩＤが送信される。
【００４０】
情報処理装置２００では、通信部２０１により位置情報が受信され、合成部２０４においては、受信した位置情報に基づいた所定範囲の地図情報が地図ＤＢ２０３から切り出し処理される（Ｓ２０３）。さらに、センサ値ＤＢ２０２から、切り出された地図情報に相当する範囲あるセンサ値およびその位置情報が抽出され（Ｓ２０４）、位置情報に基づいた位置にセンサ値が地図情報に合成される（Ｓ２０５）。
【００４１】
そして、センサ値が合成された地図情報は、通信部２０１により、通信装置１００ｂに送信され（Ｓ２０６）、通信装置１００ｂにおいては、通信部１０４により受信されて、合成後の地図情報が表示部（図示せず）に表示される（Ｓ２０７）。
【００４２】
このようにして、複数の通信装置１００において送信されたセンサ種別情報、センサ値および位置情報に基づいて、各地域におけるセンサ値（温度、湿度、紫外線量など）のデータベースが構築される。そして、これを利用して、指定した地域におけるセンサ値を取得することにより、環境をより高精度に把握することができる。
【００４３】
なお、本実施形態においては、通信装置１００ｂの位置に基づいて地図情報を切り出し、その周辺領域のセンサ値を合成しているが、これに限るものではなく、通信装置１００ｂにおいて指定した位置情報に基づいて、地図情報の切り出し処理等を行うようにしてもよい。また、通信装置１００ｂは、地図情報を情報処理装置２００から受信しているが、情報処理装置から、各通信装置１００ａの位置情報およびそのセンサ値の情報を取得して、通信装置１００において地図情報を予め記憶、または取得しておいて、その地図情報に対して合成処理をするようにしてもよい。
【００４４】
つぎに、本実施形態における情報処理装置２００の作用効果について説明する。複数の通信装置１００において、それぞれ備えられているセンサ１０１（温度センサ１０１ａ、湿度センサ１０１ｂ、および紫外線センサ１０１ｃ）が各センサ値を計測する。また一方で、位置測位部１０２が当該通信装置１００の位置情報を測位する。そして、これらセンサ値および位置情報は、通信装置１００から情報処理装置２００に送信される。
【００４５】
本実施形態の情報処理装置２００において、通信部２０１が、通信装置１００から送信されたセンサ値および位置情報を受信し、センサ値ＤＢ２０２が、これらセンサ値および位置情報をそれぞれ記憶する。そして、一の通信装置１００からの要求にしたがって、合成部２０４は、センサ値ＤＢ２０２に記憶されたセンサ値および位置情報のそれぞれを、予め記憶された地図に合成して、通信部２０１は、合成した地図情報を一の通信装置１００に送信する。これにより、各地域においてセンサを設けることなく、センサ値を取得することができ、地図上におけるそのセンサ値の分布を把握することができる。
【００４６】
また、この情報処理装置２００によれば、さらに通信装置１００からセンサ値のセンサ種別を通信部２０１が受信し、センサ値ＤＢ２０２は、センサ種別をセンサ値および位置情報とともにさらに対応付けて記憶することで、複数のセンサ値に対する、地図上の分布を把握することができる。例えば、センサ種別として、温度、湿度、および紫外線があった場合、どのセンサ値がどのセンサ種別であるかを対応付けておくことで、さまざまなセンサ値の地図上の分布を把握することができる。一方で、予め温度センサのみしか扱わない場合には、センサ種別は必ずしも必須とはならない。通信装置１００から受信した数値情報は、温度を示したものであることが、情報処理装置２００においては判断できるためである。
【００４７】
＜第二の実施形態＞
つぎに、第二の実施形態の情報処理装置２００ａについて説明する。図７は、本実施形態の情報処理装置２００ａの機能を示すブロック図である。この情報処理装置２００ａは、第一の実施形態の情報処理装置２００を構成する通信部２０１（取得手段）、地図ＤＢ２０３、および合成部２０４（出力手段）のほかに、判断部２０５（判断手段）および気象情報ＤＢ２０６を含んで構成されている。また、センサ値ＤＢ２０２に代えて、センサ値ＤＢ２０２ａ（記憶手段）を備えている。なお、本実施形態の情報処理装置２００ａも、第一の実施形態と同様に、図３に示されるようなハードウェア構成により実現される。以下、第一の実施形態の情報処理装置２００との構成と異なる部分について、その機能構成について説明し、重複する部分についての説明は省略する。
【００４８】
判断部２０５は、通信部２０１により受信された位置情報、センサ種別情報およびセンサ値に基づいて、位置情報、センサ種別情報およびセンサ値を送信した通信装置１００が屋外にいるか否かを判断する部分である。より詳細には、判断部２０５は、通信部２０１により受信された位置情報およびセンサ種別情報に対応する登録情報（例えば、温度、湿度、および紫外線量）を気象情報ＤＢ２０６から抽出し、受信されたセンサ値が、その抽出された登録情報との差分が所定値以内である場合には、屋外にいると判断する。そして、センサ値ＤＢ２０２ａにおける、屋外である旨を示す項目欄に、位置情報、センサ種別情報およびセンサ値を記憶させる。
【００４９】
また、判断部２０５は、その差分が所定値以上である場合、屋内にいると判断し、その場合には、センサ値ＤＢ２０２ａにおける、屋内である旨を示す項目欄に、位置情報、センサ種別情報およびセンサ値を記憶させる。なお、屋内であると判断された場合には、センサ値等を、センサ値ＤＢ２０２ａに記憶させなくてもよい。
【００５０】
ここでは、センサ種別を利用して対応するセンサ値を用いた判断処理をしているが、センサ種別が１種類だけ利用されている場合（例えば、温度のみ）には、必ずしもセンサ種別は必須ではない。
【００５１】
センサ値ＤＢ２０２ａは、通信装置１００から送信された位置情報、センサ種別情報、およびセンサ値を対応付けて記憶する部分である。このセンサ値ＤＢ２０２ａは、判断部２０５による指示に従って、屋外欄または屋内欄のいずれかに、センサ値を記憶する。
【００５２】
図８は、その具体例であって、センサ値ＤＢ２０２ａのセンサ値テーブルの具体例を示す説明図である。図８に示されるとおり、センサ値テーブルは、位置情報、入力時刻、およびセンサ値が対応付けて構成されている。さらに、センサ値は、屋外欄および屋内欄に区分されており、それぞれ、温度、湿度および紫外線が記述可能に構成されている。そして、判断部２０５により屋内と判断されたセンサ値については、屋内欄に、屋外と判断されたセンサ値については、屋外欄に、記憶される。
【００５３】
気象情報ＤＢ２０６は、気象庁等の外部機関から提供される温度、湿度、および紫外線量を、その位置情報（所定範囲の領域を示す情報）とともに記憶する部分である。ここに記憶される温度、湿度、および紫外線量は、屋外における情報であるが、デパート、ショッピングセンタなど大規模な屋内施設から、温度等が提供される場合には、それら情報を屋内の情報として記憶するようにしてもよい。
【００５４】
図９は、気象情報ＤＢ２０６に記憶される気象情報テーブルを示す説明図である。この気象情報テーブルは、外部機関から提供された登録情報であって、エリア情報ごとに、温度と湿度とが、登録情報として記憶されている。なお、この例では、屋外欄のみから気象情報テーブルが構成されているが、上述のとおり、屋内欄のための情報を記憶してもよいが、その場合には、屋外欄と屋内欄とを区別して記憶しておく。
【００５５】
つぎに、本実施形態の情報処理装置２００ａの処理について説明する。図１０は、本実施形態の情報処理装置２００ａの処理を示すシーケンス図である。
【００５６】
気象情報ＤＢ２０６は、定期的に更新処理されており、常に新しい気象情報が記憶されている（Ｓ３０１）。一方で、ユーザ操作などにしたがって、通信装置１００ａにおいて、センサ１０１によりセンサ値の測定がされる（Ｓ１０１）。そして、測定されたセンサ値、センサ種別情報、位置情報が、通信部１０４により、情報処理装置２００ａに送信される（Ｓ１０２）。情報処理装置２００において、判断部２０５により、受信した位置情報に対応する登録情報が気象情報ＤＢ２０６から抽出される（Ｓ１０２ａ）。そして、受信したセンサ値と、抽出した気象情報ＤＢ２０６の登録情報との差分に基づいて、当該通信装置１００ａが屋外にいるか否かが判断される（Ｓ１０２ｂ）。なお、気象情報ＤＢ２０６に、屋内の情報がさらに記憶されている場合には、その情報もあわせて利用して、屋外・屋内の判断を行うようにすることができる。
【００５７】
そして、その判断結果にしたがって、センサ値ＤＢ２０２ａにおける屋外欄、屋内欄のいずれかに、センサ値が記憶される（ｓ１０３ａ）。このとき、受信した時刻とともに記憶される。
【００５８】
このような処理が、複数の通信装置１００において行われ、情報処理装置２００ａにおいては、複数の通信装置１００からセンサ値を受信し、そのセンサ値と気象情報ＤＢ２０６に記憶されている登録情報との差分に基づいて、屋内・屋外を判断して、センサ値ＤＢ２０２における対応する屋内欄・屋外欄のいずれかに、記憶することで、データベースを形成することができる。Ｓ２０１からＳ２０７の処理は、第一の実施形態と同じであるため、その説明は省略する。
【００５９】
以上のとおり、複数の通信装置１００において送信されたセンサ種別情報、センサ値および位置情報に基づいて、各地域におけるセンサ値（温度、湿度、紫外線量など）のデータベースが、より正確に構築される。すなわち、屋内外を区別したデータベースを構築することができ、これを利用して、指定した地域におけるセンサ値を取得することにより、環境をより高精度に把握することができる。
【００６０】
つぎに、本実施形態の情報処理装置２００ａの作用効果について説明する。この情報処理装置２００ａによれば、通信部２０１により受信されたセンサ値に基づいて、判断部２０５は、そのセンサ値を送信した通信装置１００は屋外にいるか否かを判断する。そして、判断部２０５は、通信装置１００は屋外にいると判断すると、センサ値ＤＢ２０２ａは、少なくとも通信装置１００が屋外にいるセンサ値を他のセンサ値（例えば、屋内にいる通信装置１００のセンサ値）と区別して記憶する。
【００６１】
そして、合成部２０４は、センサ値ＤＢ２０５に記憶されている、屋外にいる通信装置１００のセンサ値およびその位置情報を地図に合成する。これにより、屋内にいる通信装置からのセンサ値については、環境把握のための合成処理を行うことがなくなるため、より正確な環境を把握することができる。
【００６２】
なお、情報処理装置２００ａにおいて、センサ値ＤＢ２０２ａは、通信装置１００が屋内もしくは屋外のいずれにいるかを示す屋内・屋外情報を、さらに対応付けて記憶することで、屋内・屋外に対する環境の把握を容易にさせることができる。例えば、屋外の環境を知りたい場合には、屋外のみのセンサ値を利用し、屋内の環境を知りたい場合には、屋内のみのセンサ値を利用することで、それぞれの状況に応じた環境を把握することができる。
【００６３】
＜第三の実施形態＞
つぎに、第三の実施形態の情報処理装置２００ｂについて説明する。図１１は、本実施形態の情報処理装置２００ｂの機能を示すブロック図である。この情報処理装置２００ｂは、通信部２０１（通知手段）、センサ値ＤＢ２０２、地図ＤＢ２０３、および合成部２０４（抽出手段）のほか、関連情報ＤＢ２０７（関連情報記憶手段）を含んで構成されている。この情報処理装置２００ｂは、第一の実施形態の情報処理装置２００に、関連情報ＤＢ２０７を追加したものである。以下、追加した構成要素を中心に説明する。
【００６４】
合成部２０４ａは、センサ値ＤＢ２０２に記憶されているセンサ値と、地図ＤＢ２０３に記憶されている地図情報とを合成する部分である。すなわち、センサ値ＤＢ２０２には、位置情報も記憶されており、この位置情報にしたがって、センサ値の分布を地図情報に合成する。
【００６５】
さらに本実施形態においては、センサ値ＤＢ２０２に記憶されているセンサ値と地図ＤＢ２０３に記憶されている地図とを合成する際に、関連情報ＤＢ２０７から、地図情報の要求をした通信装置において計測されたセンサ値に対応する関連情報を抽出して、地図情報にさらに合成する。通信部２０１は、合成した地図情報を通信装置１００に送信する。
【００６６】
関連情報ＤＢ２０７は、センサ値ごとの関連情報を記憶する部分である。例えば、関連情報ＤＢ２０７は、温度、湿度、および紫外線量に応じた関連情報を記憶しており、関連情報として水分補給や、乾燥注意を喚起するものや、紫外線に対する化粧の注意を喚起するものが記憶される。
【００６７】
図１２は、関連情報ＤＢ２０７に記憶されている関連情報テーブルの具体例を示す説明図である。図１２に示されるように、センサ種別、基準値、およびコメント（関連情報）が対応付けて記憶されている。例えば、温度が１１℃、湿度が３０％である場合には、コメントとして「人体影響あり。水分補給をしてください。」が対応付けられている。通信装置１００において計測された温度および湿度が、関連情報ＤＢ２０７に記憶されている値と一致若しくは所定の誤差の範囲である場合には、その値に対応付けられているコメントが抽出され、地図情報に合成されて送信される。
【００６８】
つぎに、本実施形態の情報処理装置２００ｂの処理について説明する。図１３は、情報処理装置２００ｂの処理を示すシーケンス図である。
【００６９】
Ｓ１０１からＳ１０３の処理は、上述第一の実施形態と同じであるため、その説明を省略する。なお、第二の実施形態と同様に、屋内・屋外の判断処理を行うようにしてもよい。
【００７０】
つぎに、一の通信装置１００ｂからセンサ値ＤＢ２０２に記憶されているセンサ値を合成した地図の取得要求の操作が行われる。この際、自装置において計測したセンサ種別およびセンサ値は、通信装置１００ｂの現在位置を示す位置情報とともに送信される（Ｓ２０１ａ）。本実施形態では、位置情報としてエリア情報を利用していることから、エリア情報のＩＤおよびそのサブＩＤが送信される。
【００７１】
情報処理装置２００ｂでは、通信部２０１により、センサ種別情報、センサ値および位置情報が受信され、合成部２０４に出力される（Ｓ２０２ａ）。また、一方ではセンサ値ＤＢ２０２に出力され、Ｓ１０３と同様に、センサ種別情報、センサ値および位置情報が記憶される（Ｓ２０２ｂ）。
【００７２】
そして、合成部２０４においては、受信した位置情報に基づいた所定範囲の地図情報が地図ＤＢ２０３から切り出し処理される（Ｓ２０３）。また、センサ値ＤＢ２０２から、切り出された地図情報に相当する範囲あるセンサ値およびその位置情報が抽出される（Ｓ２０４）。さらに、受信されたセンサ種別情報およびセンサ値に基づいて、関連情報ＤＢ２０７から関連情報が取得される（Ｓ２０３ａ）。そして、位置情報に基づいた位置にセンサ値が、関連情報とともに地図情報に合成される（Ｓ２０５ａ）。
【００７３】
そして、これら情報が合成された地図情報は、通信部２０１により、通信装置１００ｂに送信され（Ｓ２０６）、通信装置１００ｂにおいては、通信部１０４により受信されて、合成後の地図情報が表示部（図示せず）に表示される（Ｓ２０７）。
【００７４】
このようにして、指定した地域におけるセンサ値を取得することにより、環境をより高精度に把握することができるとともに、自装置において計測したセンサ値に基づいた関連情報を取得することができる。
【００７５】
なお、本実施形態においては、通信装置１００ａにおいて計測したセンサ値に基づいた関連情報を取得するようにしているが、これに限るものではなく、位置情報を指定することにより、その位置に応じた関連情報を取得するようにしてもよい。
【００７６】
つぎに、本実施形態の情報処理装置２００ｂの作用効果について説明する。この情報処理装置２００ｂによれば、関連情報ＤＢ２０７は、基準値（センサ値に相当）に対応付けてセンサ値に関連する関連情報を記憶しておく。そして、通信部２０１は、一の通信装置１００から関連情報の要求を受けると、合成部２０４ａは、当該一の通信装置１００の位置情報に基づいたセンサ値を、センサ値ＤＢ２０２から抽出し、そのセンサ値に一致する（若干の幅を持たせてもよい）基準値に対応する関連情報を、関連情報ＤＢ２０７から抽出する。合成部２０４ａは、通信部２０１を介して、関連情報をセンサ値とともに地図情報に合成して、合成した地図情報を当該一の通信装置１００宛に送信する。なお、合成部２０４ａは、センサ値と地図情報とを合成することなく、関連情報のみを通知するようにしてもよい。
【００７７】
これにより、環境に応じた適切な関連情報を通知することができる。例えば、関連情報としては、温度が高い場合には、水分補給を促すなどの情報を与えることができる。本実施形態においては、複数の点在する通信装置１００においてそれぞれ計測されたセンサ値を用いることで、より正確に、より細かく、さらにより簡易にセンサ値を取得することができ、そのセンサ値に基づいた関連情報をユーザは取得することができる。
【符号の説明】
【００７８】
１００…通信装置、１００ａ…通信装置、１００ｂ…通信装置、１０１…センサ、１０１ａ…温度センサ、１０１ｂ…湿度センサ、１０１ｃ…紫外線センサ、１０２…位置測位部、１０３…制御部、１０４…通信部、２００…情報処理装置、２００ａ…情報処理装置、２００ｂ…情報処理装置、２０１…通信部、２０２…センサ値ＤＢ、２０２ａ…センサ値ＤＢ、２０３…地図ＤＢ、２０４…合成部、２０４ａ…合成部、２０５…判断部、２０６…気象情報ＤＢ、２０７…関連情報ＤＢ。
【図１】
2012244394.tif 000003
【図２】
2012244394.tif 000004
【図３】
2012244394.tif 000005
【図４】
2012244394.tif 000006
【図６】
2012244394.tif 000007
【図７】
2012244394.tif 000008
【図８】
2012244394.tif 000009
【図９】
2012244394.tif 000010
【図１０】
2012244394.tif 000011
【図１１】
2012244394.tif 000012
【図１２】
2012244394.tif 000013
【図１３】
2012244394.tif 000014
【図５】
2012244394.tif 000015